【事件の表示】
　平成　３年特許願第３１１４９６号「電気光学表示装置および電気光学素子駆動装置」拒絶査定に対する審判事件［平成　５年　５月２５日出願公開、特開平　５−１２７６１６］について、次のとおり審決する。
【結　論】
　本件審判の請求は、成り立たない。
【理　由】
１．本願発明
　本願は、平成３年１０月３１日の出願であって、その請求項１〜４に係る発明は、平成１１年１０月８日付け手続補正書で補正された明細書及び図面の記載によれば、その特許請求の範囲に記載されたとおりのものと認められるところ、請求項１には次の事項が記載されている（以下、請求項１に係る発明を「本願発明」という。）。
「間隙をおいて対向配置された走査電極群と情報電極群、および該間隙に充填された光学変調媒体を備えた電気光学素子と、
　該電極群に電気信号を印加することにより該光学変調媒体に所望の画像を表示させる駆動手段とを備えた電気光学表示装置において、
　前記光学変調媒体が適正な駆動によって画像が形成された後は駆動波形が無印加状態でも画像が保存されるメモリ性を持つものであり、
　前記電気光学素子が、表示部外の非表示部に、該非表示部を駆動するための非表示部走査電極群および非表示部情報電極群を前記走査電極群および情報電極群のそれぞれと平行に配置されたものであり、かつ
　前記駆動手段が、該非表示部走査電極群に、前記表示部の走査とは非同期に一定周期でパルス状の駆動信号を印加して所望の均一な非表示部を形成する非表示部駆動手段を具備するものである
　ことを特徴とする電気光学表示装置。」
　
２．引用例
（１）原査定の拒絶の理由に引用された特開平２−１０００２１号公報（以下、「第１引用例」という。）には、次の記載がある。
（ア）「本発明は、液晶装置に関し、特にメモリー性をもつ強誘電性液晶を用いた液晶装置に関する。」（第１ページ右下欄第４〜５行）
（イ）「本発明は、ａ．走査電極と情報電極との交差部で形成した画素を複数行及び列に配列させて形成した画像表示部と、該画像表示部より外側で、且つ走査電極と平行配置した第３の電極で形成した画像非表示部とを有する液晶パネル、ｂ．走査電極に走査信号を出力する走査線駆動手段、画像表示部に画像が形成されるように情報電極に情報信号を出力する情報線駆動手段及び画像非表示部が明状態及び暗状態のうち何れか一方の状態を生じるように第３の電極に電圧を出力する枠表示駆動手段を有する駆動手段、及び、ｃ．前記第３の電極に、選択した走査電極の所定本数毎に電圧を出力し、該所定本数が外部温度の高温側への変化に応じて増大するように前記駆動手段を制御する制御手段を有する液晶装置に特徴がある。」（第２ページ右上欄第１５行から左下欄第９行）
（ウ）「表示器１００において、１０２は表示画面、１０４は表示画面１０２上の有効表示領域、１０６は表示画面１０２上の有効表示領域１０４外に設けた枠表示部である。本例においては、枠表示部１０６に対応する電極を表示器１００に配置し、これを駆動して画面１０２上に枠部を形成するようにしている。・・・７００は枠駆動部であり、データ出力部６００からの出力データに基づいて表示画面１０２上に枠部１０６を形成する。」（第２ページ右下欄第５行から第３ページ左上欄１行）
（エ）「本例においてはそのような有効表示領域１０４の外側にも、コモン側の透明電極と交叉する透明電極（以下、枠用透明電極という）１５０を設け、これらを適切に駆動することにより枠部１０６が形成されるようにする。この枠用透明電極１５０として、上部ガラス板１１０上のコモン側の透明電極１１４の配設範囲両側に例えば１６本の電極１５０を配置する。なお、第２図においては、簡略化のためにガラス基板１２０，１１０上に代表して両側の１本のみを示しているが、幅広の１本の枠用透明電極であってもよい。」（第４ページ右下欄第７〜１７行）
（オ）「本発明では、枠表示領域１０６が２０Ｈｚ以上の周波数で駆動することによって、枠表示領域１０６のフリッカー発生を抑制することができる。この際、外部温度が変化すると、第７図に示す様に１水平走査期間の最適駆動条件が変化し、外部温度が低温側になると１水平走査期間が長くなる。従って、本発明では、枠表示領域１０６の駆動周波数を２０Ｈｚ以上に維持するために、枠表示領域１０６の駆動周期を駆動走査線のカウント数を基準にして設定し、高温程カウントした走査線の本数を増大させたものである。又、この駆動走査線のカウントは、制御部５００内にて行われる。」（第１１ページ左上欄第５〜１６行）
　そうすると、第１引用例には、「間隙をおいて対向配置された複数の走査電極と複数の情報電極、および該間隙に充填された強誘電性液晶を備えた液晶パネルと、該複数の電極に電気信号を印加することにより該強誘電性液晶に所望の画像を表示させる駆動手段とを備えた液晶装置において、前記強誘電性液晶が適正な駆動によって画像が形成された後は駆動波形が無印加状態でも画像が保存されるメモリ性を持つものであり、前記液晶パネルが、画像表示部（有効表示領域１０２）外の画像非表示部（枠表示領域１０６）に、該画像非表示部を駆動するための第３の電極（枠用透明電極１５０）を複数の走査電極と平行配置したものであり、前記駆動手段が、第３の電極に、駆動信号を印加して、所望の均一な枠を形成する画像非表示部駆動手段を具備する液晶装置。」が記載されていると認められる。
　
（２）また、原査定の拒絶の引用例に引用された特開昭６３−２４３９９４号公報（以下、「第２引用例」という。）には、次の記載がある。
（カ）「本発明は、表示装置に関し、詳しくは記憶性を有する表示装置、例えば強誘電性液晶素子を用いた表示装置に関するものである。」（第２ページ左上欄第３〜５行）
（キ）「第２５図は表示器１００を模式的に示す。ここで、ｃｏｍおよびｓｅｇは、それぞれ、上部基板１１０に設けたコモン側透明電極１１４に対応するコモンラインおよび下部基板１２０に設けたセグメント側透明電極１２４に対応するセグメントラインであり、これらの間にＦＬＣが設けられている。ＦｃｏｍおよびＦｓｅｇは、それぞれ、コモンラインｃｏｍの配設範囲の両側にコモンラインｃｏｍと平行に設けた枠用コモンライン、およびセグメントラインｓｅｇの配設範囲の両側にセグメントラインｓｅｇと平行に設けた枠用セグメントラインである。而して、コモンラインｃｏｍとセグメントラインｓｅｇとの第２５図上の交叉部分の集合に対応した表示画面１０２上の領域が有効表示領域１０４をなし、枠用コモンラインＦｃｏｍと枠用セグメントラインＦｓｅｇおよびセグメントラインｓｅｇとの交叉部分、並びに枠用セグメントラインＦｓｅｇとコモンラインｃｏｍとの交叉部分の集合が有効表示領域１０４外の枠部１０６をなす。」（第２１ページ右下欄第３〜２０行）
（ク）「枠部１０６に関しては、枠用コモンラインＦｃｏｍに沿った枠部（以下横枠という）と枠用セグメントラインＦｓｅｇに沿った枠部（以下縦枠という）とを異なった時点で、かつ異った波形で駆動する。すなわち、横枠に関しては有効表示領域に非アクセス時・・・においてラインＦｃｏｍとラインＦｓｅｇおよびｓｅｇとを駆動することにより形成し、縦枠に関してはいずれのモードにおいてもライン書込み時にコモンラインｃｏｍの駆動波形合せた波形で枠用セグメントラインＦｓｅｇを駆動することにより、コモンラインｃｏｍとの協働で形成されるようにする。」（第２２ページ右上欄第４〜１６行）
（ケ）「（７）変形例　（７．１）枠１０６の構成　・・・また、電気的駆動によって枠駆動する場合でも、枠駆動系統を独立に設ければ、一度に枠駆動を行うことも可能である。さらに、電気的駆動によって枠形成を行う場合には、上例のように背景色と同色にするのみならず、データ色と同色とするようにしてもよい。」（第３７ページ右下欄第６〜１９行）
　
３．本願発明と第１引用例との対比
　本願発明と第１引用例に記載された発明とを対比すると、第１引用例の「複数の走査電極」「複数の情報電極」「強誘電性液晶」「液晶パネル」「液晶装置」「画像表示部」「画像非表示部」「第３の電極」はそれぞれ本願発明の「走査電極群」「情報電極群」「光学変調媒体」「電気光学素子」「電気光学表示装置」「表示部」「非表示部」「非表示部走査電極群」に相当する。
　したがって、両者は、「間隙をおいて対向配置された走査電極群と情報電極群、および該間隙に充填された光学変調媒体を備えた電気光学素子と、該電極群に電気信号を印加することにより光学変調媒体に所望の画像を表示させる駆動手段とを備えた電気光学表示装置において、前記光学変調媒体が適正な駆動によって画像が形成された後は駆動波形が無印加状態でも画像が保存されるメモリ性を持つものであり、前記電気光学素子が、表示部外の非表示部に、該非表示部を駆動するための非表示部走査電極群を前記走査電極群と平行に配置されたものであり、前記駆動手段が、該非表示部走査電極群に、駆動信号を印加して、所望の均一な非表示部を形成する非表示部駆動手段を具備する電気光学装置。」である点で一致し、次の点で相違する。
相違点１：本願発明では、非表示部走査電極群に加えて、非表示部情報電極群を情報電極群と平行に配置しているのに対し、第１引用例には「非表示部情報電極群」は記載されていない点。
相違点２：本願発明では、非表示部駆動手段が、非表示部走査電極群に、表示部の走査とは非同期に一定周期でパルス状の駆動信号を印加しているのに対して、第１引用例には、表示部の走査とは非同期に一定周期でパルス状の駆動信号を印加するとは明記されていない点。
　
４．当審の判断
（１）相違点１について
　第２引用例には、第２引用例の上記（カ）（キ）（ク）の記載にみられるように、強誘電性液晶素子を用いた表示装置において、コモンラインｃｏｍと平行に設けた枠用コモンラインに加えて、セグメントラインｓｅｇの配設範囲の両側にセグメントラインｓｅｇと平行に枠用セグメントラインを設けることが記載されており、「枠用コモンライン」「セグメントラインｓｅｇ」「枠用セグメントライン」はそれぞれ本願発明の「非表示部走査電極群」「情報電極群」「非表示部情報電極群」に相当するものであるから、この技術的思想を第１引用例記載の「液晶装置」に用いて、非表示部情報電極群を情報電極群と平行に配置することは当業者ならば容易に想到し得たものである。
　
（２）相違点２について
　第１引用例の上記記載事項（オ）によれば、第１引用例には「本発明では、枠表示領域１０６が２０Ｈｚ以上の周波数で駆動することによって、枠表示領域１０６のフリッカー発生を抑制することができる。」及び「本発明では、枠表示領域１０６の駆動周波数を２０Ｈｚ以上に維持するために、枠表示領域１０６の駆動周期を駆動走査線のカウント数を基準にして設定し、高温程カウントした走査線の本数を増大させたものである。」と記載されており、枠表示領域（本願発明の「非表示部」に相当）を２０Ｈｚ以上の周波数で駆動すればよいことが示唆されている。そして、非表示部を走査する際に、表示部の走査と「同期」させる構成と「非同期」の構成が考えられるが、第１引用例には、単に、非表示部を２０Ｈｚ以上の周波数で駆動すればよいことが示唆されているのみであるから、「非同期」の構成も選択し得ることは当業者に明らかである。そして、第２引用例の上記記載事項（ケ）によれば、第２引用例には、変形例として、「電気的駆動によって枠駆動する場合でも、枠駆動系統を独立に設ければ、一度に枠駆動を行うことも可能である。」と記載されており、表示部の駆動系統と非表示部である枠の駆動系統とを独立に設ければ、両者が非同期となることは明らかであるから、この技術的思想を第１引用例の発明に用いて、非表示走査電極群に、表示部の走査とは非同期に駆動信号を印加することは当業者ならば容易に想到し得たものである。
　なお、非表示部の駆動信号を、一定周期でパルス状の信号とすることは当業者の常套手段である。
　
　なお、審判請求人は、審判請求書で、本願発明は、非表示部走査電極群を表示部の走査とは非同期に一定周期で駆動するもので、表示部のフレーム周波数を落とすことなく非表示部を駆動することができる、駆動回路（制御系）を簡略に実現できる、表示部と非表示部の駆動波形を独立に制御可能なので非表示部に最適な駆動波形を選択できる、という顕著な効果が得られると主張する。
　しかし、第２引用例の上記記載事項（ケ）によれば、第２引用例には、表示部の駆動系統と非表示部である枠の駆動系統とを独立に設けることが示唆されている。そして、表示部と非表示部の駆動信号を独立させ非同期とすれば、駆動の自由度が増すであろうことは当業者ならば容易に予測し得る事項である。
　そうすると、本願発明の効果は第１引用例及び第２引用例に記載された発明から、当業者であれば予測することができる程度のものであって格別のものとはいえない。
　
５．むすび
　したがって、本願発明は、本願出願前に国内で頒布された刊行物である上記第１引用例及び第２引用例に記載された発明に基づいて、当業者が容易に発明をすることができたものであるから、特許法第２９条第２項の規定により特許を受けることができない。
　よって、結論のとおり審決する。